(57)【要約】【課題】簡単な構成で、対物レンズと光記録媒体との衝突を防止でき、且つ光記録媒体に付着する付着物の除去を行える対物レンズアクチュエータを提供する。【解決手段】対物レンズアクチュエータが備える、対物レンズ１７を保持するレンズホルダ２４には、対物レンズ１７と光ディスク５０との衝突を防止する衝突防止部３１と、対物レンズ１７と光ディスク５０とが衝突した際に光ディスク５０をクリーニングするクリーニング部３２と、が設けられている。また、衝突防止部３１とクリーニング部３２とは、光ディスク５０の回転方向の上流側が衝突防止部３１、下流側がクリーニング部３２となるように配置される。【選択図】図５
2008210458.tif 000002
【特許請求の範囲】
【請求項１】
光源と、
前記光源から出射された光ビームを光記録媒体の記録面に集光する対物レンズと、
前記対物レンズを保持するレンズホルダと、前記レンズホルダを、少なくとも前記記録面と直交する方向であるフォーカス方向と、前記光記録媒体の半径方向と平行な方向であるトラッキング方向とに移動可能とする駆動手段と、を有する対物レンズアクチュエータと、
を備える光ピックアップ装置において、
前記レンズホルダには、前記光記録媒体と対向するように、前記対物レンズと前記光記録媒体との衝突を防止する衝突防止部と、前記対物レンズと前記衝突防止部とが衝突した際に前記光記録媒体をクリーニングするクリーニング部と、が設けられ、
前記衝突防止部と前記クリーニング部とは、前記光記録媒体の回転方向の上流側が衝突防止部、下流側がクリーニング部となるように配置されることを特徴とする光ピックアップ装置。
【請求項２】
光ビームを光記録媒体の記録面に集光する対物レンズと、
前記対物レンズを保持するレンズホルダと、
前記レンズホルダを、少なくとも前記記録面と直交する方向であるフォーカス方向と、前記光記録媒体の半径方向と平行な方向であるトラッキング方向とに移動可能とする駆動手段と、
を備える対物レンズアクチュエータにおいて、
前記レンズホルダには、前記光記録媒体と対向するように、前記対物レンズと前記光記録媒体との衝突を防止する衝突防止部と、前記対物レンズと前記衝突防止部とが衝突した際に前記光記録媒体をクリーニングするクリーニング部と、が設けられることを特徴とする対物レンズアクチュエータ。
【請求項３】
前記衝突防止部と前記クリーニング部とは、前記光記録媒体の回転方向の上流側が衝突防止部、下流側がクリーニング部となるように配置されることを特徴とする請求項２に記載の対物レンズアクチュエータ。
【請求項４】
前記クリーニング部は、前記衝突防止部と同等又はそれ以上の大きさを有することを特徴とする請求項３に記載の対物レンズアクチュエータ。
【請求項５】
前記クリーニング部は、前記トラッキング方向と略平行な方向に延びた形状であることを特徴とする請求項２から４のいずれかに記載の対物レンズアクチュエータ。
【請求項６】
請求項２から５のいずれかに記載に対物レンズアクチュエータを備えることを特徴とする光ピックアップ装置。
【請求項７】
少なくともブルーレイディスクに対応することを特徴する請求項６に記載の光ピックアップ装置。
【発明の詳細な説明】
【技術分野】
【０００１】
本発明は、対物レンズを駆動する対物レンズアクチュエータ、及び対物レンズアクチュエータを備える光ピックアップ装置に関する。
【背景技術】
【０００２】
コンパクトディスク（以下、ＣＤという。）やデジタル多用途ディスク（以下、ＤＶＤという。）といった光記録媒体が普及している。更に、最近では、光記録媒体の情報量を更に増やすために光記録媒体の高密度化に関する研究が進められ、例えば、高品位のＤＶＤであるＨＤ−ＤＶＤやブルーレイディスク（以下、ＢＤという。）といった高密度化された光記録媒体も実用化されてきている。
【０００３】
このような光記録媒体を光ディスク装置で記録再生を行うにあたっては、光記録媒体に光ビームを照射して情報の記録や情報の読み取りを可能とする光ピックアップ装置が用いられる。光ピックアップ装置で上述した情報量が高密度化された光記録媒体（例えばＢＤ）に対応する場合、光源から出射される光ビームが光記録媒体上に形成する光スポットのスポットサイズを小さくする必要がある。
【０００４】
光スポットのスポットサイズを小さくする場合、光ビームを出射する光源の波長を短くするとともに、対物レンズの開口数を大きくすることが通常行われる。対物レンズの開口数を大きくすると、光ピックアップ装置により光記録媒体の情報の記録や情報の読み取りを行う際の対物レンズ先端と光記録媒体との間隔（ワーキングディスタンス；ＷＤ）が狭くなる。
【０００５】
ところで、光ピックアップ装置においては、光記録媒体の面振れ等によらず、光源から出射される光ビームの焦点が常に光記録媒体の記録面に合うように、対物レンズアクチュエータにより、対物レンズの位置を移動することによって、対物レンズと光記録媒体との位置関係を一定に制御する。以下、このような制御をフォーカスサーボと表現することがある。
【０００６】
しかし、上述のように、近年の光ピックアップ装置においては、ＷＤが非常に狭くなる傾向に有り、例えば、面ぶれが大きい光記録媒体を用いた場合や、光記録媒体上の傷や外部からの振動等によりフォーカスサーボが外れた場合等に、対物レンズと光記録媒体とが衝突する可能性が非常に高くなっている。
【０００７】
このようなことから、従来、対物レンズと光記録媒体の衝突によって、光記録媒体に記録される情報が使えなくなったり、対物レンズが損傷して光ピックアップ装置が使用できなくなったりするのを防止するために、対物レンズのまわりに衝突防止用のレンズプロテクタを設けることが行われている（例えば、特許文献１及び特許文献２参照。）
【特許文献１】特開２００６−３３８７８３号公報
【特許文献２】特開平５−３３４７０８号公報
【発明の開示】
【発明が解決しようとする課題】
【０００８】
しかしながら、衝突防止用のレンズプロクテクタを設ける構成の場合、光記録媒体とレンズプロテクタとの衝突が発生した際に、レンズプロクテクタが磨耗して、レンズプロテクタの欠落した構成物が付着するといった問題が発生する可能性がある。この点、特許文献１に紹介される対物レンズ衝突防止用プロテクタ部は、その表層に特定の動的粘弾性を有するプロテクタ表層材を形成する構成となっており、磨耗によるプロテクタ表層材の光記録媒体への付着を低減できるとされている。
【０００９】
しかし、特許文献１の構成の場合には、対物レンズ衝突防止用プロテクタ部を形成するのに、細かい品質の管理が必要となる等、光ピックアップ装置製造時の作業負担の増加やコストアップといったことが予想される。
【００１０】
また、特許文献２には、対物レンズアクチュエータにフェルトや不織布といった材質から成るクリーニング部材を設ける構成が示されている。そして、このクリーニング部材は対物レンズの曲面頂点より光記録媒体側に近接しており、装置に衝撃が加わった場合に、クリーング部材が先に光記録媒体に当って、対物レンズと光記録媒体の衝突を防止するとしている。
【００１１】
しかしながら、クリーニング部材はフェルト等の軟質の部材で形成されているために、光記録媒体と衝突した際のクリーニング部材の変形は大きなものと考えられる。このため、クリーニング部材によって対物レンズと光記録媒体との衝突を防止しようとすると、クリーニング部材の厚さを厚くする必要が生じる。この点、ＢＤ等に対応する光ピックアップ装置では、上述のようにワーキングディスタンスが狭いため、クリーニング部材の厚さがあまり厚くなるのは好ましくない。
【００１２】
以上の問題点に鑑み、本発明の目的は、簡単な構成で、対物レンズと光記録媒体との衝突を防止でき、且つ光記録媒体に付着する付着物の除去を行える対物レンズアクチュエータを提供することである。また、本発明の他の目的は、そのような対物レンズアクチュエータを備えることより、光記録媒体からの情報の読み出しや光記録媒体への情報の記録を少ないエラーで安定して行える光ピックアップ装置を提供することである。
【課題を解決するための手段】
【００１３】
上記目的を達成するために本発明は、光源と、前記光源から出射された光ビームを光記録媒体の記録面に集光する対物レンズと、前記対物レンズを保持するレンズホルダと、前記レンズホルダを、少なくとも前記記録面と直交する方向であるフォーカス方向と、前記光記録媒体の半径方向と平行な方向であるトラッキング方向とに移動可能とする駆動手段と、を有する対物レンズアクチュエータと、を備える光ピックアップ装置において、前記レンズホルダには、前記光記録媒体と対向するように、前記対物レンズと前記光記録媒体との衝突を防止する衝突防止部と、前記対物レンズと前記衝突防止部とが衝突した際に前記光記録媒体をクリーニングするクリーニング部と、が設けられ、前記衝突防止部と前記クリーニング部とは、前記光記録媒体の回転方向の上流側が衝突防止部、下流側がクリーニング部となるように配置されることを特徴としている。
【００１４】
また、上記目的を達成するために本発明は、光ビームを光記録媒体の記録面に集光する対物レンズと、前記対物レンズを保持するレンズホルダと、前記レンズホルダを、少なくとも前記記録面と直交する方向であるフォーカス方向と、前記光記録媒体の半径方向と平行な方向であるトラッキング方向とに移動可能とする駆動手段と、を備える対物レンズアクチュエータにおいて、前記レンズホルダには、前記光記録媒体と対向するように、前記対物レンズと前記光記録媒体との衝突を防止する衝突防止部と、前記対物レンズと前記衝突防止部とが衝突した際に前記光記録媒体をクリーニングするクリーニング部と、が設けられることを特徴としている。
【００１５】
また、本発明は、上記構成の対物レンズアクチュエータにおいて、前記衝突防止部と前記クリーニング部とは、前記光記録媒体の回転方向の上流側が衝突防止部、下流側がクリーニング部となるように配置されることを特徴としている。
【００１６】
また、本発明は、上記構成の対物レンズアクチュエータにおいて、前記クリーニング部は、前記衝突防止部と同等又はそれ以上の大きさを有することを特徴としている。
【００１７】
また、本発明は、上記構成の対物レンズアクチュエータにおいて、前記クリーニング部は、前記トラッキング方向と略平行な方向に延びた形状であることを特徴としている。
【００１８】
また、本発明は、上記構成の対物レンズアクチュエータを備える光ピックアップ装置であることを特徴としている。
【００１９】
また、本発明は、上記構成の光ピックアップ装置において、少なくともブルーレイディスクに対応することを特徴としている。
【発明の効果】
【００２０】
本発明の第１の構成によれば、衝突防止部によって対物レンズと光記録媒体との衝突を防止できる。また、光記録媒体と衝突防止部とが衝突した際に、クリーニング部によって光記録媒体に付着している付着物や光記録媒体の汚れをクリーニングすることが可能である。更に、衝突防止部が光記録媒体と衝突した際に磨耗して、その構成物が光記録媒体に付着された場合でも、クリーニング部が、光記録媒体の回転方向に対して下流側に設けられているために、付着された構成物を即座にクリーニングすることが可能である。このため、本発明によれば、対物レンズを傷つける可能性が低く、更に光記録媒体の表面をきれいに保つことが可能となる。従って、本発明によれば、光記録媒体からの情報の読み出しや光記録媒体への情報の記録を少ないエラーで安定して行える光ピックアップ装置を提供できる。
【００２１】
また、本発明の第２の構成によれば、衝突防止部によって対物レンズと光記録媒体との衝突を防止できる。また、光記録媒体と衝突防止部とが衝突した際に、クリーニング部によって光記録媒体に付着している付着物や光記録媒体の汚れをクリーニングすることが可能である。このため、本発明の対物レンズアクチュエータを用いれば、対物レンズを傷つける可能性が低く、更に光記録媒体の表面をきれいに保つことが可能となる。
【００２２】
また、本発明の第３の構成によれば、上記第２の構成の対物レンズアクチュエータにおいて、衝突防止部が光記録媒体と衝突した際に磨耗して、その構成物が光記録媒体に付着された場合でも、クリーニング部が、光記録媒体の回転方向に対して下流側に設けられているために、付着された構成物を即座にクリーニングすることが可能である。
【００２３】
また、本発明の第４の構成によれば、上記第３の構成の対物レンズアクチュエータにおいて、クリーニング部が衝突防止部と同等、又はそれ以上の大きさを有しているために、衝突防止部の磨耗に伴う付着物を高い確率で除去することが可能となる。
【００２４】
また、本発明の第５の構成によれば、上記第２から第４のいずれかの構成の対物レンズアクチュエータにおいて、光記録媒体の回転によってクリーニング部が付着物や汚れを除去できる領域を広くできる。
【００２５】
また、本発明の第６の構成によれば、光ピックアップ装置は、上記第２から第５のいずれかの構成の対物レンズアクチュエータを備えるために、光記録媒体からの情報の読み出しや光記録媒体への情報の記録を少ないエラーで安定して行える。
【００２６】
また、本発明の第７の構成によれば、上記第６の構成の光ピックアップ装置において、ＢＤの情報の再生や記録を行う場合、光ピックアップ装置におけるワーキングディスタンスが狭くなるために、対物レンズと光記録媒体との衝突の可能性が高く、衝突防止部とクリーニング部を設ける効果が大きなものとなる。
【発明を実施するための最良の形態】
【００２７】
以下に本発明の実施形態を、図面を参照しながら説明する。なお、ここで示す実施形態は一例であり、本発明はここに示す実施形態に限定されるものではない。
【００２８】
まず、本発明の対物レンズアクチュエータを備える光ピックアップ装置１の構成について説明する。図１は、本実施形態の光ピックアップ装置１の構成を示す概略平面図である。なお、図１においては、光ピックアップ装置１が備える光学系について説明し易いように、光学系の本来覆われて見えない部分についても便宜的に見えるものとして示している。
【００２９】
本実施形態の光ピックアップ装置１は、ＣＤ、ＤＶＤ、及びＢＤの３種類の光ディスク（光記録媒体）５０に対して、レーザ光を照射して情報の読み取り及び書き込みを行うことが可能に設けられている。この光ピックアップ装置１は、例えば光ディスク装置に用いられる場合には、光ディスク装置内に配置された２本のガイドレール２に摺動可能に支持される。そして、光ディスク５０の半径方向（ラジアル方向）に平行に配置されるガイドレール２に沿ってラジアル方向に移動されて、光ディスク５０に記録される情報の読み取りや、光ディスク５０に情報の書き込みを行う。
【００３０】
図１に示すように、光ピックアップ装置１が備える光学系には、第１光源１１と、第２光源１２と、ダイクロプリズム１３と、コリメートレンズ１４と、ビームスプリッタ１５と、立ち上げミラー１６と、第１対物レンズ１７と、第２対物レンズ１８と、が含まれる。なお、必要に応じて、例えば波面収差の補正を行う波面収差補正素子等、他の光学部材が適当な位置に配置される。
【００３１】
第１光源１１は、単一の波長を出射するレーザダイオードで、ＢＤに用いられる波長４０５ｎｍ帯のレーザ光を出射する。第２光源１２は、２種類の波長のレーザ光を出射できる２波長対応のレーザダイオードで、ＤＶＤ用いられる波長６５０ｎｍ帯のレーザ光及びＣＤ用に用いられる７８０ｎｍ帯のレーザ光を出射する。第１光源１１及び第２光源１２を出射したレーザ光は、ダイクロプリズム１３に送られる。
【００３２】
ダイクロプリズム１３は、第１光源１１から出射されたレーザ光を透過し、第２光源１２から出射されたレーザ光を反射する。ダイクロプリズム１３を通過したレーザ光は、コリメートレンズ１４に送られて平行光に変換される。ビームスプリッタ１５は、第１光源１１及び第２光源１２から出射されたレーザ光を反射して光ディスク５０側に導くとともに、光ディスク５０の記録面（図示せず）からの反射光を透過して光検出器２０側へと導く。
【００３３】
第１光源１１又は第２光源１２から出射され、ビームスプリッタ１５で反射されたレーザ光は立ち上げミラー１６で反射されて、光ディスク５０のディスク面と略垂直の方向とされる。立ち上げミラー１６で反射されたレーザ光は、第１対物レンズ１７又は第２対物レンズ１８へと送られる。
【００３４】
第１対物レンズ１７と第２対物レンズ１８とは、いずれも入射したレーザ光を光ディスク５０の記録層に集光する機能を有し、いずれの対物レンズも、その詳細は後述する対物レンズアクチュエータ２１に搭載されている。第１対物レンズ１７はＢＤ用の対物レンズとして、第２対物レンズ１８はＤＶＤ及びＣＤ用の対物レンズとして設計されており、いずれを光路中に配置するかは、光ディスク５０の種類に対応して切り換えられる。
【００３５】
なお、本実施形態においては、第１対物レンズ１７と第２対物レンズ１８との切り換えは、対物レンズアクチュエータ２１を図示しない移動手段で、光ピックアップベース３に対してラジアル方向に移動することによって行う。ただし、２つの対物レンズ１７、１８を切り換えて使用する構成はこれに限定される趣旨ではなく、例えば光学系の構成で切り換えて使用できるような構成等としても構わない。
【００３６】
光ディスク５０の記録層で反射された反射光は、第１対物レンズ１７又は第２対物レンズ１８を透過して立ち上げミラー１６で反射され、ビームスプリッタ１５を透過する。ビームスプリッタ１５を透過した反射光は、集光レンズ１９によって集光されて光検出器２０の受光領域（図示しない）に集光する。
【００３７】
光検出器２０は、受光領域で受光した光信号を電気信号へと変換する役割を果たす。そして、光検出器２０からの電気信号は、処理されて情報を再生するための再生信号や、対物レンズ１７、１８のフォーカス調整やトラッキング調整を行うために用いられるフォーカスエラー信号やトラッキングエラー信号等とされる。
【００３８】
次に、本実施形態の対物レンズアクチュエータ２１の全体構成について、図２及び図３を参照しながら説明する。ここで、図２は、本実施形態の対物レンズアクチュエータ２１の構成を示す概略斜視図である。また、図３は、本実施形態の対物レンズアクチュエータ２１が備えるレンズホルダ２４の構成を説明するための図で、図３（ａ）はレンズホルダ２４の構成を示す概略斜視図、図３（ｂ）はレンズホルダ２４の構成を示す分解斜視図である。
【００３９】
対物レンズアクチュエータ２１は、大きくは、ベース２２と、永久磁石２３ａ、２３ｂと、レンズホルダ２４と、ワイヤ２９と、を備える。
【００４０】
ベース２２は、強磁性を有する金属から成り、そのほぼ中央にはレーザ光を通過させる貫通孔２２ｃが形成されている。この貫通孔２２ｃの上には詳細は後述するレンズホルダ２４が配置される。また、ベース２２上には、レンズホルダ２４を挟むように所定間隔をあけて相互に対向する一対の永久磁石２３ａ、２３ｂが立設されている。
【００４１】
永久磁石２３ａ、２３ｂは、いずれも分割線ＢＬを境として磁極の構成が逆となっている。また、永久磁石２３ａと永久磁石２３ｂとは、同じ磁極が向かい合うように配置されている。すなわち、例えば、図２の分割線ＢＬより手前側においてはＮ極が向かい合い、分割線ＢＬより奥側ではＳ極が向かい合うように構成される。また、永久磁石２３ａ、２３ｂは、それぞれの外面がベース２２から折曲形成された突片２２ａ、２２ｂに着磁された状態となっている。
【００４２】
レンズホルダ２４には、第１対物レンズ１７及び第２対物レンズ１８を保持できるように、２つの保持部２４ａ、２４ｂが形成されている。また、レンズホルダ２４には、２つの保持部２４ａ、２４ｂに保持される第１対物レンズ１７及び第２対物レンズ１８に対して、レーザ光が通過できるように、対物レンズ１７、１８の光軸方向と平行な方向に延びる貫通孔が形成されている。
【００４３】
なお、第１対物レンズ１７は、第１保持部２４ａに直接接着剤で接合されて保持される。一方、第２対物レンズ１８は、チルト調整用ホルダ２５に接着剤で接合保持され、このチルト調整用ホルダ２５が第２保持部２４ｂに接着剤で接合されることによって、レンズホルダ２４に保持される。
【００４４】
このように、第２対物レンズ１８をチルト調整用ホルダ２５に保持した状態でレンズホルダ２４に搭載するのは、対物レンズアクチュエータ２１の組立て時において、第１対物レンズ１７と第２対物レンズ１８との間の相対チルトの調整を行えるようにするためである。
【００４５】
なお、本実施形態では、第２対物レンズ１８についてのみチルト調整用ホルダ２５に搭載する構成としているが、第１対物レンズ１７についてもチルト調整用ホルダ２５に搭載する構成としても構わない。ただし、いずれか一方についてのみチルト調整できれば、対物レンズ１７、１８間の相対チルトの調整は行えるので、いずれか一方をチルト調整用ホルダ２５で保持する構成とすれば良い。
【００４６】
レンズホルダ２４の側壁のうち、永久磁石２３ａ、２３ｂと対面する両側壁の外側には、それぞれトラッキングコイル２６ａ、２６ｂが対向するように設けられている。このトラッキングコイル２６ａ、２６ｂは、全体で一本の線で繋がっている。
【００４７】
また、レンズホルダ２４の内部側には、第１対物レンズ１７の光軸を取り巻くようにフォーカスコイル２７ａが、第２対物レンズ１８の光軸を取り巻くようにフォーカスコイル２７ｂが、その高さが同一となるように並んで設けられている。フォーカスコイル２７ａ、２７ｂは、一本の線で繋がっている。
【００４８】
また、レンズホルダ２４の内部側で、フォーカスコイル２７ａ、２７ｂの下部側には、第１対物レンズ１７の光軸を取り巻くようにチルトコイル２８ａが、第２対物レンズ１８の光軸を取り巻くようにチルトコイル２８ｂが、その高さが同一となるように並んで設けられる。チルトコイル２８ａ、２８ｂは、一本の線で繋がっている。
【００４９】
このように構成されるレンズホルダ２４は、レンズホルダ２４の左右の側壁（トラッキングコイル２６ａ、２６ｂが設けられない側壁）に一方の端を固定される複数の導電性のワイヤ２９（左右に各３本設けられる）によって揺動可能に支持されている。このワイヤ２９は、ベース２２上に形成されるゲルホルダ３０のゲル孔３０ａを挿通され、ゲルホルダ３０に隣接して設けられる回路基板（図示せず）に、その他端がはんだ付けにて接続されている。
【００５０】
なお、ゲル孔３０ａには、ゲル材が充填されており、これによりゲルホルダ３０は、レンズホルダ２４の駆動に応じて各ワイヤ２９に生じた振動をゲル材によって減衰し、抑制する役割を果たす。
【００５１】
また、導電性を有する各ワイヤ２９のレンズホルダ２４側の端部は、上段の２本のワイヤ２９がトラッキングコイル２６ａ、２６ｂと、中段の２本のワイヤ２９がフォーカスコイル２７ａ、２７ｂと、下段の２本のワイヤ２９がチルトコイル２８ａ、２８ｂとはんだ付けにて電気的に接続された状態となっている。
【００５２】
これにより、トラッキングエラー信号から生成される信号に基づいて、回路基板からワイヤ２９を通じてトラッキングコイル２６ａ、２６ｂに電流が供給されると、永久磁石２３ａ、２３ｂによって形成される磁界とコイルを流れる電流との電磁気的な作用により、レンズホルダ２４はトラッキング方向（ラジアル方向に同じ）に変位される。
【００５３】
同様に、フォーカスエラー信号から生成される信号に基づいて、回路基板からワイヤ２９を通じてフォーカスコイル２７ａ、２７ｂに電流が供給されると、電磁気的な作用により、レンズホルダ２４はフォーカス方向（光ディスク５０の記録面と直交する方向）に変位される。また、光ピックアップ装置１に備えられるチルトセンサ（図示せず）を用いて生成される信号に基づいて回路基板からワイヤ２９を通じてチルトコイル２８ａ、２８ｂに電流が供給されると、電磁気的な作用により、レンズホルダ２４は、フォーカス方向とトラッキング方向とに対して直交する軸回り方向に回転される。
【００５４】
すなわち、永久磁石２３ａ、２３ｂ、トラッキングコイル２６ａ、２６ｂ、フォーカスコイル２７ａ、２７ｂ、及びチルトコイル２８ａ、２８ｂは、レンズホルダ２４を駆動させる駆動手段として機能している。
【００５５】
本実施形態の対物レンズアクチュエータ２１の全体構成は以上のようであるが、次に本実施形態の対物レンズアクチュエータ２１の特徴的部分について説明する。本実施形態の対物レンズアクチュエータ２１は、ＢＤ用の対物レンズ（第１対物レンズ１７）を搭載しており、ＢＤからの情報の読み出しやＢＤに情報を記録する際に、特にワーキングディスタンス（ＷＤ；第１対物レンズ１７の先端と光ディスク５０との距離）が狭くなり、対物レンズ１７、１８と光ディスク５０の衝突の可能性が高まる。このため、対物レンズ１７、１８と光ディスク５０とが衝突しないように、レンズホルダ２４には、衝突防止部３１が設けられている。また、レンズホルダ２４には、衝突防止部３１が光ディスク５０と衝突した際に光ディスク５０と接触して光ディスク５０をクリーニングするクリーニング部３２も設けられている。この衝突防止部部３１とクリーニング部３２とを設けた点が特徴であり、この点について以下詳細に説明する。
【００５６】
なお、説明にあたっては、図２及び図３に加えて、図４及び図５についても参照しながら説明する。図４は、レンズホルダ２４を上から見た概略平面図である。また、図５は、図４のＡ−Ａ位置における概略断面図を用いて、第１対物レンズ１７、光ディスク５０、衝突防止部３１、及びクリーニング部３２の位置関係を示した図であり、図５（ａ）は光ディスク５０と衝突防止部３１及びクリーニング部３２とが衝突していない状態（通常の状態）、図５（ｂ）は光ディスク５０と衝突防止部３１及びクリーニング部３２とが衝突した状態（外乱等が発生した状態）である。
【００５７】
衝突防止部３１は、図３（ｂ）に示すように、略コの字状の板状部材から成る。そして、この略コの字状の板状部材の嵌め込み部３１ａが、レンズホルダ２４の第１保持部２４ａ（第１対物レンズ１７を保持する部分）の外周側に形成される凸部２４ｃに嵌め込まれて接着固定されることによって、レンズホルダ２４に衝突防止部３１が形成される。レンズホルダ２４に形成される衝突防止部３１は、第１対物レンズ１７より所定の高さだけ光ディスク５０側に突出するように、その高さ方向のサイズが調整されている（図５（ａ）参照）。そして、これによって対物レンズ１７、１８と光ディスク５０との衝突を防止する（図５（ｂ）参照）。
【００５８】
なお、本実施形態においては、２つの対物レンズ１７、１８が配置されているが、第１対物レンズ１７の方が第２対物レンズ１８よりも光ディスク５０側に突出する構成となっている。このために、衝突防止部３１は、第１対物レンズ１７より所定の高さだけ光ディスク５０側に突出する構成とされている。また、本実施形態では、第１対物レンズ側に衝突防止部３１を設ける構成としているが、これに限定される趣旨ではない。衝突防止部３２の配置、及び上から見た場合の平面サイズ等について、本発明の目的を逸脱しない範囲で適宜変更しても構わない。
【００５９】
衝突防止部３１を形成する部材の材質としては、例えばポリアセタール（ＰＯＭ樹脂）のように、光ディスク５０の保護層（例えば、ポリカーボネート）よりも軟質で、衝突防止部３１と光ディスク５０とが衝突した際に、光ディスク５０に傷をつけない材質が選択される。
【００６０】
なお、レンズホルダ５０は、例えば優れた機械強度、寸法安定性等を有する液晶ポリマー（ＬＣＰ）等で形成されている。このように、レンズホルダ２４と衝突防止部３１とは、異なる材質の部材で形成されるために、本実施形態においては、衝突防止部３１はレンズホルダ２４と接着剤で固定する構成としている。ただし、衝突防止部３１のレンズホルダ２４に対して形成する方法は、本実施形態の構成に限定されるものではなく、適宜変更可能である。すなわち、場合によっては２色成形等によって形成しても構わない。
【００６１】
クリーニング部３２は、本実施形態においては衝突防止部３１と同様の形状とされており、略コの字状の板状部材から成る。そして、この略コの字状の板状部材の嵌め込み部３２ａが、レンズホルダ２４の第１保持部２４ａの外周側に形成される凸部２４ｄに嵌め込まれて接着固定されることによって、レンズホルダ２４にクリーニング部３２が形成される。クリーニング部３２の高さは、衝突防止部３１と光ディスク５０とが衝突した際に、クリーニング部３２が光ディスク５０と衝突する高さであれば良く、そのように高さが調整されている。
【００６２】
なお、クリーニング部３２が衝突防止部３１より高く設けられ、衝突防止部３１よりクリーニング部３２の方が先に光ディスク５０と接触する構成となっても構わない。上述のように、クリーニング部３２は、衝突防止部３１と光ディスク５０とが衝突した時に光ディスク５０と接触するようになっていれば良い。
【００６３】
クリーニング部３２を形成する部材の材質としては、例えばウレタン、ナイロン等のような、収縮性（例えば、スポンジのような性質）と吸着性の高い材質が用いられる。これにより、光ディスク５０と接触した際に、光ディスク５０の汚れや付着物等の除去が可能となる。また、クリーニング部３２は、光ディスク５０と接触した際に、その一部が磨耗して光ディスク５０に対して付着物を発生するようなものでない必要があり、そのような材質のものから形成されている。そして、この点からも、例えばウレタン、ナイロン等で形成されるのが好ましい。
【００６４】
なお、クリーニング部３２とレンズホルダ２４とは、異なる材質の部材で形成される。このため、本実施形態においては、クリーニング部３２はレンズホルダ２４と接着剤で固定する構成としている。ただし、衝突防止部３１の場合と同様、必ずしも、本実施形態の構成に限定される趣旨ではない。
【００６５】
本実施形態においては、クリーニング部３２は、第１対物レンズ１７を挟んで衝突防止部３１と略対称位置に配置されている。また、衝突防止部３１よりも光ディスク５０の回転方向に対して下流側に配置されている（図４、５参照）。衝突防止部３１は、上述のように光ディスク５０と衝突しても光ディスク５０を傷つけないような柔らかい材質で形成されている。このために、光ディスク５０と衝突した際に、その一部が磨耗して光ディスク５０に対して付着物を残す場合がある。この点、本実施形態のように、衝突防止部３１の下流側にクリーニング部３２を配置すると、衝突防止部３１が光ディスク５０と衝突した際に発生した付着物を、その下流側で光ディスク５０と接触するクリーニング部３２がふき取ることとなり、即座に光ディスク５０に付着した付着物を除去することが可能となる。このため、光ディスク５０の回転方向の上流に衝突防止部３１、下流にクリーニング部３２を配置する本実施形態の構成が好ましい。
【００６６】
なお、光ディスク５０の回転が極端に遅い場合には、クリーニング部３２の位置に、衝突防止部３１の磨耗によって発生した付着物が到着するまでに、クリーニング部３２が光ディスク５０から離れており（接触していない）、付着物をクリーニングできない場合もあり得る。しかし、光ディスク５０の再生や記録が行われる速度で光ディスク５０が回転している状態では、本実施形態の構成で付着物のクリーニングが可能である。
【００６７】
また、上述のような衝突防止部３１が磨耗して付着した付着物を除去するという観点から、クリーニング部３２の大きさは、衝突防止部３１と同等又はそれ以上の大きさが好ましい。このように構成すれば、衝突防止部３１と光ディスク５０とが衝突することによって発生した付着物を、かなり高い確率で即座に除去することが可能となる。また、クリーニング部３１は光ディスク５０と接触してクリーニングするという機能を有するために、対物レンズアクチュエータ２１の構成上許容される範囲で、光ディスク５０との接触面積が大きくなるように構成するのが好ましい。
【００６８】
また、本実施形態においては、クリーニング部３２は、トラッキング方向と平行な方向に延びた状態となるように設けられている（図４参照）。このような構成とした場合、クリーニング部３２と光ディスク５０とが接触した際に、光ディスク５０の回転によってクリーニング部３２が汚れや付着物の除去を行える領域が広くできるために、クリーニング部３２のクリーニング機能を発揮させる上で好ましい。
【００６９】
なお、本実施形態では、省スペース化及びバランス等を考慮して第１対物レンズ１７を挟んで略対称位置に衝突防止部３１とクリーニング部３２とが配置される構成としているが、これに限定される趣旨ではない。例えば、図４において、クリーニング部３２を衝突防止部３１の左隣に配置する（第１対物レンズ１７よりも右側に配置される）構成等としても構わない。
【００７０】
以上に示した実施形態においては、対物レンズアクチュエータ２１に搭載される対物レンズが２つである場合を示した。しかし、本発明はこれに限定される趣旨ではなく、対物レンズアクチュエータ２１に搭載される対物レンズの数に関係なく適用できるのは言うまでもない。
【００７１】
また、以上に示した実施形態においては、対物レンズアクチュエータは、ワイヤで支持するワイヤ支持方式の対物レンズアクチュエータとした。しかし、本発明は、これに限らず、対物レンズを保持するレンズホルダを有し、レンズホルダを所定の方向に移動させることによって対物レンズを駆動する対物レンズアクチュエータに対して広く適用可能である。すなわち、例えば、レンズホルダを支軸に対して摺動させることによって、対物レンズを移動させる、いわゆる軸摺動型の対物レンズアクチュエータ等に対しても適用可能である。
【００７２】
その他、本実施形態においては、本発明の対物レンズアクチュエータを備える光ピックアップ装置について、ＢＤ／ＤＶＤ／ＣＤを互換する構成としたが、これに限られる趣旨ではない。例えば、単にＢＤやＤＶＤ等の一種類の光ディスクのみに対応する光ピックアップ装置でも構わないし、他の種類の光ディスクに対応するもの等であっても構わず、光ピックアップ装置に広く適用できる。ただし、ワーキングディスタンスが狭くなる、例えばＢＤのような光ディスクに対応する光ピックアップ装置に適用した時に、その効果が大きい。
【産業上の利用可能性】
【００７３】
本発明によれば、ワーキングディスタンスが狭くなっても、対物レンズと光記録媒体との衝突を高い確率で抑制できる。更に、光記録媒体に付着物が付着するのを低減できることも可能である。従って、本発明は産業上有用な発明と言える。
【図面の簡単な説明】
【００７４】
【図１】は、本発明の対物レンズアクチュエータを備える光ピックアップ装置の構成を示す概略平面図である。
【図２】は、本実施形態の対物レンズアクチュエータの構成を示す概略斜視図である。
【図３】は、本実施形態の対物レンズアクチュエータが備えるレンズホルダの構成を説明するための図である。
【図４】は、本実施形態の対物レンズアクチュエータが備えるレンズホルダを上から見た概略平面図である。
【図５】は、図４のＡ−Ａ位置における概略断面図を用いて、第１対物レンズ、光ディスク、衝突防止部、及びクリーニング部の位置関係を示した図である。
【符号の説明】
【００７５】
１                光ピックアップ装置
１１              第１光源
１２              第２光源
１７              第１対物レンズ
１８              第２対物レンズ
２１              対物レンズアクチュエータ
２３ａ、２３ｂ    永久磁石（駆動手段の一部）
２４              レンズホルダ
２６ａ、２６ｂ    トラッキングコイル（駆動手段の一部）
２７ａ、２７ｂ    フォーカスコイル（駆動手段の一部）
２８ａ、２８ｂ    チルトコイル（駆動手段の一部）
３１              衝突防止部
３２              クリーニング部
５０              光ディスク（光記録媒体）
【図１】
2008210458.tif 000003
【図２】
2008210458.tif 000004
【図３】
2008210458.tif 000005
【図４】
2008210458.tif 000006
【図５】
2008210458.tif 000007